(57)【特許請求の範囲】
【請求項１】
前後方向に長い乾燥機本体内に上段の貯留部と中段の乾燥部と下段の集穀部とを設け、前記乾燥部内に前記貯留部と集穀部とを連絡して前後方向に延びる流穀路を設けるとともにこの流穀路に隣接して前後方向に延びる遠赤外線放射室を設け、前記乾燥部外の乾燥機本体前側にバーナを設けるとともに前記乾燥機本体後側に排風機を設け、前記遠赤外線放射室内に前記バーナに一端側が連絡されるとともに他端側が前記排風機近傍に位置される略筒形状の遠赤外線放射体を設けた穀物乾燥機において、前記バーナの着火ミスにより前記遠赤外線放射体内に放出されて乾燥部内に落下する液体燃料を受ける燃料受け体を前記遠赤外線放射体の下側に設けたことを特徴とする穀物乾燥機。
【請求項２】
前記燃料受け体は、前記遠赤外線放射体の下側に前記排風機側の上流端から前記バーナ側の下流端に向かって下降するように傾斜させて設けたことを特徴とする請求項１に記載の穀物乾燥機。
【請求項３】
前記燃料受け体は、前記バーナ側の下流端に液体燃料を前記乾燥機本体外に排出する排出体を設けたことを特徴とする請求項２に記載の穀物乾燥機。
【請求項４】
前記燃料受け体は、前記バーナ側の下流端を前記乾燥機本体外に位置させて設けたことを特徴とする請求項２に記載の穀物乾燥機。
【発明の詳細な説明】
【０００１】
【発明の属する技術分野】
この発明は穀物乾燥機に係り、特に、バーナの着火ミスにより遠赤外線放射体内に放出された液体燃料を回収し得て、液体燃料による乾燥部内の穀物の汚染を防止し得る穀物乾燥機に関する。
【０００２】
【従来の技術】
米麦等の穀物を乾燥させる穀物乾燥機には、精米前の籾状態の米や麦等の穀物を乾燥するものであり、循環型や平型等の穀物乾燥機がある。
【０００３】
循環型の穀物乾燥機は、乾燥機本体内に上部から順次に穀物の投入される貯留部と穀物を乾燥する乾燥部と乾燥した穀物を集める集穀部とを設け、穀物を上段の貯留部から中段の乾燥部を経て下段の集穀部に導いた後に前記上段の貯留部に戻して循環させる間に、前記乾燥部において熱風や遠赤外線により穀物を乾燥する。
【０００４】
このような穀物乾燥機としては、特開平８−１４７４６号公報、特開平９−１１３１４０号公報、特開平１０−８２５８６号公報に開示されるものがある。
【０００５】
特開平８−１４７４６号公報に開示されるものは、貯留槽内に、流下する穀物に対して遠赤外線放射熱及び熱風を下向きに放射、噴出させる遠赤外線放射室を設けたものである。特開平９−１１３１４０号公報に開示されるものは、遠赤外線放射体としての放熱管を熱風室内に設け、この放熱管の一端にバーナを設けるとともに、放熱管の他端を熱風室内に開口したものである。特開平１０−８２５８６号公報に記載のものは、穀物が流動する部位に遠赤外線放射体を対向して設け、この遠赤外線放射体を流動する穀物に対向する面が転換されるように回転させるものである。
【０００６】
【発明が解決しょうとする課題】
ところで、遠赤外線により穀物を乾燥する穀物乾燥機は、液体燃料を燃焼するバーナにより熱気を発生し、この熱気により遠赤外線放射体を加熱して遠赤外線を放出させ、穀物を乾燥している。
【０００７】
ところが、この穀物乾燥機は、液体燃料を供給されるバーナに着火ミスが生じた場合に、液体燃料が燃焼されずに遠赤外線放射体内に放出されてしまい、溜まってしまう問題がある。
【０００８】
このため、穀物乾燥機は、溜まった液体燃料が遠赤外線放射体のすきまから乾燥部内に落下してしまい、穀物に付着して汚染する不都合がある。
【０００９】
【課題を解決するための手段】
そこで、この発明は、上述不都合を除去するために、前後方向に長い乾燥機本体内に上段の貯留部と中段の乾燥部と下段の集穀部とを設け、前記乾燥部内に前記貯留部と集穀部とを連絡して前後方向に延びる流穀路を設けるとともにこの流穀路に隣接して前後方向に延びる遠赤外線放射室を設け、前記乾燥部外の乾燥機本体前側にバーナを設けるとともに前記乾燥機本体後側に排風機を設け、前記遠赤外線放射室内に前記バーナに一端側が連絡されるとともに他端側が前記排風機近傍に位置される略筒形状の遠赤外線放射体を設けた穀物乾燥機において、前記バーナの着火ミスにより前記遠赤外線放射体内に放出されて乾燥部内に落下する液体燃料を受ける燃料受け体を前記遠赤外線放射体の下側に設けたことを特徴とする。
【００１０】
【発明の実施の形態】
この発明の循環型乾燥機は、バーナの着火ミスにより遠赤外線放射体内に放出されて乾燥部内に落下する液体燃料を遠赤外線放射体の下側に設けた燃料受け体によって受けることがき、乾燥部内に液体燃料が落下することを防止できる。
【００１１】
【実施例】
以下図面に基づいて、この発明の実施例を説明する。図１〜図７は、この発明の実施例を示すものである。図５〜図７において、２は循環型の穀物乾燥機、４は乾燥機本体、６は貯留部、８は乾燥部、１０は集穀部である。穀物乾燥機２は、前板１２と後板１４と側板１６とにより前後方向に長い乾燥機本体４を形成している。乾燥機本体４内には、上部から順次に、穀物の投入される貯留部６と穀物を乾燥する乾燥部８と乾燥した穀物を集める集穀部１０とを設けている。
【００１２】
この穀物乾燥機２は、乾燥機本体４の前板１２側に揚穀機１８を設け、貯留部６上方に揚穀機１８上部に連絡される上部搬送手段２０を設け、集穀部１０下方に揚穀機１８下部に連絡される下部搬送手段２２を設けている。
【００１３】
穀物乾燥機２は、揚穀機１８により揚上した穀物を上部搬送手段２０により貯留部６内に均分落下させ、乾燥部８において乾燥した後に集穀部１０に集め、下部搬送手段２２により揚穀機１８下部に搬送して再び揚上するという循環を繰返して穀物の乾燥を行う。
【００１４】
前記乾燥部８内には、貯留部６と集穀部８とを連絡して乾燥機本体４の前後方向に延びる流穀路２４を設けるとともに、この流穀路２４に隣接して乾燥機本体４の前後方向に延びる遠赤外線放射室２６を設けている。
【００１５】
この実施例においては、多孔板や網状部材等からなる通気性の通風部材２８により仕切られる２つの流穀路２４を幅方向に離間させて対称に設け、２つの流穀路２４の間に前後方向に延びる遠赤外線放射室２６を設け、２つの流穀路２４の外側のそれぞれ側板１６との間に前後方向に延びる排風室３０を設けている。
【００１６】
穀物乾燥機２は、乾燥部８外の乾燥機本体４前側に液体燃料を燃焼して熱気を発生するガンタイプのバーナ３２を設けるとともに、乾燥機８外の乾燥機本体４後側に排風室３０の熱気を吸引して排出する排風機３４を設けている。バーナ３２は、前板１２に取付けられている。排風機３４は、後板１４に取付けられている。
【００１７】
バーナ３２及び排風機３４は、前板１２に取付けられた制御部３６により制御される。制御部３６は、バーナ３２及び排風機３４を制御して穀物を乾燥させる熱気を発生させるとともに乾燥後の熱気を排出させ、また、揚穀機１８や上部搬送手段２０、下部搬送手段２０の各モータ（図示せず）を制御して穀物を循環させる。
【００１８】
この穀物乾燥機２は、遠赤外線放射室２６内にバーナ３２に一端側が連絡されるとともに他端側が排風機３４近傍に位置される略筒形状の遠赤外線放射体３８を設けている。
【００１９】
遠赤外線放射体３８は、図１〜図４に示す如く、一対の半円筒形状の各側放射体部４０・４０を対向配設し、各側放射体部４０・４０の各上側フランジ部４２・４２及び各下側フランジ部４４・４４を合わせて固着することにより、内部に放射体通路４６を有する略円筒形状に形成される。
【００２０】
遠赤外線放射体３８は、放射体通路４６を流れる熱気により各側放射体部４０・４０の表面に付設されたセラミック等の遠赤外線放射素材を加熱され、遠赤外線を放射する。
【００２１】
遠赤外線放射体３８は、一端側にバーナ３２に取付けられるバーナ用取付部４８を取付けて設け、このバーナ用取付部４８をバーナ３２に取付けている。バーナ用取付部４８には、バーナ３２からの熱気が流通する連通孔５０を設けている。遠赤外線放射体３８は、他端側に略円錐筒形状の絞り部５２を取付けて設け、絞り部通路５４を設けている。
【００２２】
絞り部５２には、上方に湾曲される略横Ｕ字筒形状の湾曲管５６の一端側を連結して設けている。湾曲管５６は、他端側を遠赤外線放射体３８の上方において遠赤外線放射体３８の一端側に指向するよう湾曲することにより、内部に湾曲管通路５８を有する略横Ｕ字筒形状に形成される。
【００２３】
湾曲管５６の他端側には、熱風管６０の一端側を連結して設けている。熱風管６０は、一対の半円筒形状の各側熱風管部６２・６２を対向配設し、各側熱風管部６２・６２の各上側フランジ部６４・６４及び各下側フランジ部６６・６６を固着することにより、内部に熱風管通路６８を有する略円筒形状に形成される。熱風管６０は、遠赤外線放射体３８の上方に平行に配設され、他端側を遠赤外線放射体３８の一端側のバーナ用取付部４８近傍に熱風管通路６８の熱風出口７０を開口して設けている。
【００２４】
前記遠赤外線放射体３８の上部と熱風管６０の下部とは、連結体７２により平行に連結して設けている。熱風管６０の上部には、取付体７４により熱風管６０の長手方向に指向する断面逆Ｊ字形状の管側係合体７６を取付けて設けている。管側係合体７６は、乾燥部８の遠赤外線放射室２６内において前後方向に指向して取付けられた断面Ｊ字形状の本体側係合体７８に摺動可能に係合される。これにより、遠赤外線放射体３８は、管側係合体７６と本体側係合体７８とにより、乾燥部８の前板１２に形成した開口（図示せず）から遠赤外線放射室２６内に挿入・引き出しすることができる。
【００２５】
この穀物乾燥機２は、遠赤外線放射体３８の下側に燃料受け体８０を設けている。燃料受け体８０は、バーナ３２の着火ミスにより遠赤外線放射体３８内に放出されて乾燥部８内に落下する液体燃料を受ける。
【００２６】
燃料受け体８０は、断面Ｖ字樋形状に形成されて内部に燃料受け部８２を設けるとともに遠赤外線放射体３８の長手方向に指向して配設され、排風機３４側の上流端８０ａからバーナ３２側の下流端８０ｂに向かって下降するように水平線Ｌに対して角度θだけ傾斜させて、遠赤外線放射体３８の下側に取付けて設けている。
【００２７】
この燃料受け体８０は、バーナ３２側の下流端に液体燃料を乾燥機本体４外に排出する排出体８４を設けている。排出体８４は、バーナ取付部４８の後側に固設され、バーナ取付部４８との間に燃料排出空間８６を形成している。燃料排出空間８６の下部には、燃料排出開口８８を設けている。
【００２８】
次に作用を説明する。
【００２９】
穀物乾燥機２は、運転を開始すると、制御部３６によってモータ（図示せず）を駆動し、穀物を上段の貯留部６から中段の乾燥部８を経て下段の集穀部１０に導いた後に、再び揚上して循環させる。
【００３０】
穀物乾燥機２は、穀物の循環中に、制御部３６によってバーナ３２を着火燃焼させて熱気を発生し、この熱気を遠赤外線放射体３８の放射体通路４６に流して遠赤外線を放射させ、流穀路２４の穀物を乾燥する。また、前記遠赤外線放射体３８を加熱した熱気は、湾曲管５６の湾曲管通路５８から熱風管６０の熱風管通路６８を介して遠赤外線放射室２６内に流入し、排風機３４の吸引力により流穀路２４を通過して排風室３０に流れ、流穀路２４の穀物を乾燥して排風機３４により外部に排出される。
【００３１】
これにより、穀物乾燥機２は、貯留部６と乾燥部８と集穀部１０と循環させる間に、乾燥部８において熱気及び遠赤外線により穀物を乾燥する。
【００３２】
この穀物乾燥機２は、液体燃料を供給されるバーナ３２を設けている。穀物乾燥機２は、バーナ３２に着火ミスが生じ、液体燃料が燃焼されずに遠赤外線放射体３８内に放出されて溜まった場合に、この溜まった液体燃料が遠赤外線放射体３８を形成する各側放射体部４０・４０の各下側フランジ部４４・４４の合わせ部分から乾燥部８内に落下することがある。
【００３３】
この穀物乾燥機２は、遠赤外線放射体３８の下側に燃料受け体８０を設けていることにより、各側放射体部４０・４０の各下側フランジ部４４・４４の合わせ部分から落下する液体燃料を燃料受け体８０の燃料受け部８２によって受けることができ、乾燥部８内に液体燃料が落下することを防止できる。
【００３４】
このため、この穀物乾燥機２は、バーナ３２の着火ミスにより遠赤外線放射体３８内に放出された液体燃料を回収することができ、液体燃料による乾燥部８内の穀物の汚染を防止することができる。
【００３５】
また、燃料受け体８０は、遠赤外線放射体３８の下側に、排風機３４側の上流端８０ａからバーナ３２側の下流端８０ｂに向かって下降するように傾斜させて取付けて設けている。この燃料受け体８０のバーナ３２側の下流端には、液体燃料を乾燥機本体４外に排出する排出体８２を設けている。
【００３６】
これにより、この穀物乾燥機２は、燃料受け体８０に受けた燃料を排出体８４の燃料排出空間８６に流し、下部の燃料排出開口８８から乾燥機本体２の外部に導くことができる。
【００３７】
このため、この穀物乾燥機２は、バーナ３２の着火ミスにより遠赤外線放射体内に放出された液体燃料を回収して再利用することができ、液体燃料の有効利用を図ることができる。
【００３８】
また、遠赤外線放射体３８は、熱風管６０の上部の断面逆Ｊ字形状の管側係合体７６を、乾燥部８の断面Ｊ字形状の本体側係合体７８に摺動可能に係合させていることにより、燃料受け体８０とともに一体に遠赤外線室２６に挿入・引き出しをすることができ、保守性を向上することができる。
【００３９】
なお、この発明は、上述実施例に限定されるものではなく、種々応用改変が可能である。例えば、図８・図９に示す穀物乾燥機２は、断面Ｖ字樋形状に形成されて内部に燃料受け部８２を有するとともに遠赤外線放射体３８の下側に排風機３４側の上流端８０ａからバーナ３２側の下流端８０ｂに向かって下降するように傾斜させて取付けられる燃料受け体８０を設け、この燃料受け体８０のバーナ３２側の下流端８０ｂを、燃料受け部８２がバーナ用取付部４８下端から露出されるように配設して、乾燥機本体４外に位置させて設けたものである。
【００４０】
これにより、この穀物乾燥機２は、排出体８４を要せずに、バーナ３２の着火ミスにより遠赤外線放射体３８内に放出されて落下する液体燃料を回収して再利用することができ、部品点数を削減してコストダウンを果たすことがきる。
【００４１】
【発明の効果】
このように、この発明の循環型乾燥機は、バーナの着火ミスにより遠赤外線放射体内に放出されて乾燥部内に落下する液体燃料を燃料受け体によって受けることができ、乾燥部内に液体燃料が落下することを防止できる。
【００４２】
このため、この穀物乾燥機は、バーナの着火ミスにより遠赤外線放射体内に放出された液体燃料を回収することができ、液体燃料による乾燥部内の穀物の汚染を防止することができる。
【図面の簡単な説明】
【図１】この発明の実施例を示す穀物乾燥機の遠赤外線放射体の側面図である。
【図２】遠赤外線放射体の正面図である。
【図３】図１の３−３線による断面図である。
【図４】図１の４−４線による断面図である。
【図５】穀物乾燥機の平面図である。
【図６】穀物乾燥機の一部破断側面図である。
【図７】穀物乾燥機の一部破断正面図である。
【図８】この発明の別の実施例を示す遠赤外線放射体の側面図である。
【図９】遠赤外線放射体の正面図である。
【符号の説明】
２ 穀物乾燥機
４  乾燥機本体
６  貯留部
８  乾燥部
１０  集穀部
２４  流穀路
２６  遠赤外線放射室
３０  排風室
３２  バーナ
３４  排風機
３８  遠赤外線放射体
５６  湾曲管
６０  熱風管
８０  燃料受け体
【図１】
0003963059.tif 000002
【図２】
0003963059.tif 000003
【図３】
0003963059.tif 000004
【図４】
0003963059.tif 000005
【図５】
0003963059.tif 000006
【図６】
0003963059.tif 000007
【図７】
0003963059.tif 000008
【図８】
0003963059.tif 000009
【図９】
0003963059.tif 000010